(57)【要約】【課題】法枠によって保持する土の表面積、土量が従来の構造よりも増加させる。さらに迅速、経済的に施工することができる。【解決手段】法枠の横枠の山側の面を、法面に対して９０度の角度より山側に傾斜させる。縦枠の側面を形成する型枠の一端と、横枠の山側面の一部を形成する型枠を連結する。縦枠の右側の側面を形成する型枠と、左側の側面を形成する型枠の間は水平材で連結して構成する。縦鉄筋、横鉄筋に沿ってコンクリートを吹き付けて行う。【選択図】        図１
2006104667.tif 000002
【特許請求の範囲】
【請求項１】
法枠の横枠の山側の面を、
法面に対して９０度の角度より山側に傾斜させ、
かつ、横枠の山側の面の下端と法面とが交わる点における鉛直線より谷側に傾斜しているように構成した、
法枠の構造。
【請求項２】
縦枠と横枠によって構成する法枠において、
縦枠の側面を形成する型枠の一端と、
横枠の山側面の一部を形成する型枠を連結し、
縦枠の右側の側面を形成する型枠と、左側の側面を形成する型枠の間は水平材で連結して構成し、
この水平材には、縦鉄筋を固定し、
横枠用型枠は、
横枠の山側面を形成する板体と、横枠の谷側面を形成する金網とを水平材で連結して構成し、
この水平材には、横鉄筋を固定し、
山側面を形成する型枠の一対の間に横枠用型枠を設置し、
縦鉄筋、横鉄筋に沿ってコンクリートを吹き付けて行う、
法枠の構築方法。
【発明の詳細な説明】
【技術分野】
【０００１】
本発明は、法枠の構造と施行方法に関するものである。
【背景技術】
【０００２】
法面の崩壊を防止し、植生を施すために、コンクリート製の縦枠と横枠とを格子状に配置する法枠工法が広く採用されている。
これらの法枠において、従来の法枠を縦断面で見ると、図７に示すように法枠の横枠ａの山側の面ｂが法面ｃに対してほぼ直角に形成してある。
【発明の開示】
【発明が解決しようとする課題】
【０００３】
前記した従来の法枠にあっては、次のような問題点がある。
（１）横枠ａの山側の面ｂには客土ｄを施して植生を行うが、客土ｄは流出やすべり出しを防ぐためには、横枠ａの山側の面ｂに安息角で施す必要がある。
（２）そのために図６に示す客土ｄの土量しか投入することができない。
（３）特に法面ｃの勾配が急になれば、投入できる客土ｄの土量はきわめて少ないものとなる。
【課題を解決するための手段】
【０００４】
上記のような課題を解決するために、本発明の法枠の構造は、法枠の横枠の山側の面を、法面に対して９０度の角度より山側に傾斜させ、かつ、横枠の山側の面の下端と法面とが交わる点における鉛直線より谷側に傾斜しているように構成した、法枠の構造を特徴としたものである。
さらに本発明の法枠の構築方法は、縦枠と横枠によって構成する法枠において、縦枠の側面を形成する型枠の一端と、横枠の山側面の一部を形成する型枠を連結し、縦枠の右側の側面を形成する型枠と、左側の側面を形成する型枠の間は水平材で連結して構成し、この水平材には、縦鉄筋を固定し、横枠用型枠は、横枠の山側面を形成する板体と、横枠の谷側面を形成する金網とを水平材で連結して構成し、この水平材には、横鉄筋を固定し、山側面を形成する型枠の一対の間に横枠用型枠を設置し、縦鉄筋、横鉄筋に沿ってコンクリートを吹き付けて行う法枠の構築方法を特徴としたものである。
【発明の効果】
【０００５】
本発明の法枠の構造と施行方法は以上説明したようになるから次のような効果を得ることができる。
（１）法枠の山側の面が、法面に対して直角であったものが、鋭角に形成される。その結果、法面に鋭角で交わる山側面と、山側面の上端から法面に対して直角に交わる面とによって形成される部分の体積が、従来の構造における土量に対して大きく増加する。
（２）法枠によって保持する土の表面積、土量が従来の構造よりも増加するので、表面積が広くなるから、育成できる本数が増加する。
（３）さらに、投入できる土量が増加すれば、植生した植物の根が深く、広く伸びることができる。
（４）降雨水を受ける表面積と土量が増大するから、保水する能力が向上し、植物の育成に良好な環境を得ることができる。
（５）客土が厚くなるので草本だけでなく、根の部分が大きい木本類を育成することもできる。
（６）山側の傾斜面が客土を保持して流出を阻止でき、従来のようなラス張りが不要となり経済的である。
（７）以上のような機能を果たす結果、急勾配の法面の緑化が可能となる。
（８）縦横の枠を格子状に組む法枠では、特に交点の型枠の組み立てが複雑であるが、本発明の施行方法では交点の型枠の組み立てをきわめて簡単にしたから、迅速、経済的に施工することができる。
【発明を実施するための最良の形態】
【０００６】
以下図面を参照にしながら本発明の好適な実施の形態を詳細に説明する。
【実施例】
【０００７】
＜１＞法枠の基本の構造。
まず法枠の基本構造を説明する。
法枠は図６に示すように、コンクリート製の横枠１と縦枠２を格子状に組み合わせて法面を抑え、格子の間隔には客土を投入して植物を植え付けて緑化を行う工法である。
したがって横枠１は、その山側の面によって客土の重量を支え、かつその流出を阻止する機能を果たしている。
【０００８】
＜２＞山側面の角度。（図５）
本発明の法枠においては、特に上記した法枠の横枠１の山側の面１１を、法面１２に対して９０度の線Ｌ１より山側に傾斜させる。
しかし山側に傾斜させるにも限度があり、その限度は横枠１の山側の面の下端と法面１２とが交わる点における鉛直線Ｌ２より谷側に傾斜しているように構成する。
すなわち、山側面は鉛直線Ｌ２以上には山側の法面に向けて傾斜させることはない。
このように横枠１の形状を構成することによって、横枠１の山側には客土Ｄを収納できる「ふところ」状の凹部Ｅを形成することができる。
したがって、従来の横枠１のように法面に直角の山側面を形成した場合に比較して「ふところ」状の凹部Ｅに相当する量だけ、収納可能な土量が増加することになる。
【０００９】
＜３＞法枠の構築部材。
上記の構成の法枠に限らないが、コンクリート製の縦枠２と横枠１によって格子状に構成する法枠を効率よく形成する構築部材について説明する。
【００１０】
＜４＞交点型枠３。
格子状の法枠は、多数の交点において縦枠２と横枠１とが交差する。
縦枠２、横枠１は長いコンクリートのブロックであるから、型枠の構造は比較的簡単である。
したがって、法枠の構築においては、両枠が交差する交点部分の型枠、すなわち交点型枠３をいかに効率よく形成するか、が重要な問題となっている。
本発明では、交点の型枠３は、縦枠２の側面を形成する型枠３１の一端に、横枠１の山側面の一部を形成する型枠３２を連結して構成する。
したがって交点型枠の１枚は、縦枠２の右側の側面を形成する縦枠側面型枠３１と横枠１の山側を形成する横枠山側型枠３２が、平面視はＬ字状に連結した折れ曲げ板として形成される。
交点型枠の他の１枚は、縦枠２の左側の側面を形成する縦枠側面型枠３１と横枠１の山側を形成する横枠山側型枠３２が、平面視はＬ字状に連結した折れ曲げ板として形成される。
そして両縦枠側面型枠３１の間は、細い鋼棒のような水平材３３によって、連結する。
この水平材３３は、上下二段に取り付けて、縦枠２の内部に設置する縦鉄筋４の支持も兼ねる部材である。
これらの型枠を構成する素材は、金網、エキスパンドメタル、打ち抜き鋼板、格子枠、合成樹脂板、木製板など広く採用することができる。
【００１１】
＜５＞横枠用型枠。
横枠１の山側面を形成する型枠が必要である。
そこで横枠１の山側面を形成する型枠として、横枠１の山側面を形成する板体６１と、横枠１の谷側面を形成する金網６２とを水平材６３で連結して構成する。
この水平材は、上下二段に取り付けて横枠１の内部に設置する横鉄筋５の支持も兼ねるものである。
【００１２】
＜６＞交点型枠の設置。
まず法面上に縦鉄筋４と横鉄筋５を寝かして敷設する。  
次に、交点部分では、地表に寝かした縦鉄筋４を上から被せるような状態で、前記した交点型枠３を設置する。（図２）
そして地上に寝かした縦鉄筋４を持ち上げて細い番線などを使用して下段の水平材３３に、その下から取り付けて固定する。
さらに、上段の水平材３３には、その上から新たに縦鉄筋４を搭載して固定する。
なお、縦鉄筋４、横鉄筋５は適宜の位置で法面に打設したアンカーに強固に拘束して移動を阻止する点は従来と同様である。
【００１３】
＜７＞横枠用型枠６の設置。
次に隣接する二箇所の交点型枠３の横枠山側型枠３２の間に横枠用型枠６の板体６１を設置して固定する。
横枠用型枠６は、谷側に向けて水平材６３を介して金網６２が取り付けてあるので、この金網６２が横枠１の谷側の型枠となる。
板体６１と金網６２とを連結している水平材６３に、地表に寝かしてあった横鉄筋５を持ち上げて結束線によって取り付ける。
横枠用型枠６の金網６２側は、法面との高さの差が大きいから、作業員はそこから手を入れて横鉄筋５の取り付けを容易に行うことができる。
上段の横鉄筋６２は、水平材６３の上から搭載して固定する。
【００１４】
＜８＞足場板の取り付け。
横枠１の山側面を形成する板体６１の上端と、法面との間の距離は短い。
そこで、両者の間に足場板７を掛け渡すこともできる。
この足場板７は、作業のためだけではなく、吹き付けたコンクリートの飛散物が法面に付着することを阻止する役目も果たす。
【００１５】
＜９＞コンクリートの吹きつけ。
縦鉄筋４の周囲、および横鉄筋５の周囲に、高圧でコンクリートを吹き付ける。
上の位置の交点型枠３と下の位置の交点型枠３の間には縦鉄筋４が露出しているが、その縦鉄筋４の上からコンクリートを吹き付けることによって縦鉄筋４を包囲する状態でカマボコ状にコンクリートを盛り上げることができる。
したがって上位置と下位置の交点型枠３の間には側面型枠がなくとも縦枠２を構成することができる。
もちろん上下の交点型枠３の間に、縦方向の側面型枠を設置してコンクリートを吹き付けることも可能である。
横枠１においてはその山側には板体６１が、谷側には金網６２が位置しているから、谷側からコンクリートを吹き付けることによって横枠１を形成することができる。
なお、谷側の金網６２の存在は不可欠ではなく、金網６２が存在しなくとも谷側からコンクリートを吹き付けることによって、ある程度の厚さを具えた横枠１を形成することも可能である。
こうして、交点を中心として内部に鉄筋を備えた縦横のコンクリート製の法枠が完成する。
【図面の簡単な説明】
【００１６】
【図１】本発明の法枠の交点型枠の実施例の説明図。
【図２】交点型枠の配置状態の説明図。
【図３】交点型枠と横枠用型枠の配置状態の説明図。
【図４】横枠型枠の配置状態の側面から見た説明図。
【図５】本発明の法枠の横枠上の客土の充填状態の説明図。
【図６】格子状に配置する法枠の全体の説明図。
【図７】従来の法枠の横枠上の客土の充填状態の説明図。
【符号の説明】
【００１７】
１：横枠
２：縦枠
３：交点型枠
４：縦鉄筋
５：横鉄筋
【図１】
2006104667.tif 000003
【図２】
2006104667.tif 000004
【図３】
2006104667.tif 000005
【図４】
2006104667.tif 000006
【図５】
2006104667.tif 000007
【図６】
2006104667.tif 000008
【図７】
2006104667.tif 000009